(57)【要約】  【課題】筐体内を短時間で所望圧力に上昇させることができる高気圧筐体装置を提供する。  【解決手段】高気圧筐体装置を用いるときは、まず、２台の加圧ポンプ３１ａ，３１ｂを駆動する。各加圧ポンプ３１ａ，３１ｂ始動時は筐体２０内の気圧が所定圧力に達していないので、加圧空気は各加圧ポンプ３１ａ，３１ｂを通じて筐体２０内に直接供給される。この気圧上昇中に所定圧力に達したときは、切換弁５１ａ，５１ｂが一方の加圧ポンプ３１ｂの空気供給系を加圧空気供給手段から酸素供給手段に切り換える。これにより、その後は一方の加圧ポンプ３１ｂの空気が酸素富化装置４１を通じて筐体２０内に供給される。【選択図】  図３
2005318958.tif 000002
【特許請求の範囲】
【請求項１】
身体運動などが行われる空間を備えた筐体と、
前記筐体内の気圧を検知する気圧検知手段と、
２台の加圧ポンプにより前記筐体内に加圧空気を供給する加圧空気供給手段と、
前記各加圧ポンプのうち一方の加圧ポンプにより前記筐体内に酸素富化空気を供給する酸素供給手段と、
前記一方の加圧ポンプにより供給される空気を前記加圧空気供給手段又は前記酸素供給手段の何れか一方に切り換える空気切換手段と、
前記筐体内の気圧を設定する気圧設定手段と、
前記気圧検知手段の検知気圧が設定気圧よりも低いときは前記空気切換手段により前記加圧空気供給手段側に切り換え、該検知気圧が設定気圧よりも高くなっているときは該空気切換手段により該酸素供給手段側に切り換える空気切換制御手段とを有する
高気圧筐体装置。
【請求項２】
香り供給ポンプにより香り発生部材に空気を通し、該香り発生部材で生成された香り空気を前記筐体内に供給する香り空気供給手段と、
前記香り空気供給手段の香り空気の供給を閉止する閉止手段と、
前記香り空気供給手段内の圧力を検知する圧力検知手段と、
前記圧力検知手段の検知圧力が該香り空気供給手段の設定圧力より高くなったと判断したときは、前記香り供給ポンプの駆動を停止させる香り供給ポンプ制御手段とを有する
ことを特徴とする請求項１記載の高気圧筐体装置。
【請求項３】
前記筐体内の空気を排出する排気手段と、
前記筐体の筐体設定圧力に追従して前記排気手段の排気圧力を設定する排気圧力制御手段とを有する
ことを特徴とする請求項１又は請求項２記載の高気圧筐体装置。
【請求項４】
前記筐体内の空気を脱臭する脱臭装置と、
前記筐体の使用時間を設定する使用時間設定手段と、
前記脱臭装置を設定された使用時間ののち所定時間経過後に動作させるよう制御する脱臭装置制御手段を有する
ことを特徴とする請求項１乃至請求項３の何れか一項記載の高気圧筐体装置。
【請求項５】
機器の異常を検出したとき、前記排気手段が排気動作するよう制御する排気制御手段を有する
ことを特徴とする請求項１乃至請求項４の何れか一項記載の高気圧筐体装置。
【発明の詳細な説明】
【技術分野】
【０００１】
本発明は、高気圧環境下で身体運動などを行うことができる高気圧筐体装置に関するものである。
【背景技術】
【０００２】
近時、身体の脂肪を燃焼させ、肥満を解消する運動として有酸素運動が注目されている。
【０００３】
この有酸素運動は、血液中の酸素により人体の脂肪を燃焼させてエネルギーを発生させる運動であり、ダイエットなどに好適な運動として評価されている。また、有酸素運動を効率よく行うためには、血液中の溶解型酸素の濃度を高くすればよい。ここで、溶解型酸素とは血液や体液に直接にとけ込む酸素で、その濃度は雰囲気中の圧力及び酸素濃度に比例して増加する。
【０００４】
そこで、血液中の溶解型酸素濃度を高くする手段として、特許文献１に記載された高気圧筐体装置が提案されている。
【０００５】
この高気圧筐体装置は、非通気性の繊維で形成された筐体（球体）内に酸素ボンベで酸素を供給する一方、コンプレッサで加圧空気を供給している。これにより、筐体内の運動者は高気圧でかつ酸素濃度の高い環境下で有酸素運動を行うことができる。
【特許文献１】特公平４−２０３５４号公報
【発明の開示】
【発明が解決しようとする課題】
【０００６】
ところで、前記高気圧筐体装置では、筐体内に酸素を供給する酸素供給手段（酸素ボンベ）と筐体内に加圧空気を供給する加圧ポンプ（１台）が別個となっている。
【０００７】
しかしながら、１台の加圧ポンプのみで筐体内を所定圧力までに圧力上昇させるためには、長時間にわたるポンプ駆動が必要となり、利用開始まで長時間にわたって待たされるという問題点を有していた。
【０００８】
本発明の目的は前記従来の課題に鑑み、筐体内を短時間で所望圧力に上昇させることができる高気圧筐体装置を提供することにある。
【課題を解決するための手段】
【０００９】
本発明は前記課題を解決するため、請求項１に係る高気圧筐体装置は身体運動などが行われる空間を備えた筐体と、筐体内の気圧を検知する気圧検知手段と、２台の加圧ポンプにより筐体内に加圧空気を供給する加圧空気供給手段と、各加圧ポンプのうち一方の加圧ポンプにより筐体内に酸素富化空気を供給する酸素富化空気供給手段と、一方の加圧ポンプにより供給される空気を加圧空気供給手段又は酸素富化空気供給手段の何れか一方に切り換える空気切換手段と、筐体内の気圧を設定する気圧設定手段と、気圧検知手段の検知気圧が設定気圧よりも低いときは空気切換手段により加圧空気供給手段側に切り換え、検知気圧が設定気圧よりも高くなっているときは空気切換手段により酸素供給手段側に切り換える空気切換制御手段とを有する構造となっている。
【００１０】
請求項１の発明によれば、高気圧筐体装置を用いるときは、まず、２台の加圧ポンプを駆動する。各加圧ポンプ始動時は筐体内の気圧が所定圧力（例えば、筐体設定圧力を１．３気圧とするときは、所定圧力を１．２気圧に設定）に達していないので、加圧空気は加圧空気供給手段を通じて筐体内に直接供給される。
【００１１】
一方、各加圧ポンプの駆動が継続されることにより、筐体内の気圧が漸次上昇する。この気圧上昇中に所定圧力に達したときは、空気切換手段が一方の加圧ポンプの空気供給系を、加圧空気供給手段から酸素供給手段側に切り換える。これにより、その後は一方の加圧ポンプの空気が酸素供給手段を通じて筐体内に供給され、酸素富化空気によって筐体内の気圧を上昇させる。
【００１２】
請求項２の発明は、請求項１に係る高気圧筐体装置において、香り供給ポンプにより香り発生部材に空気を通し、香り発生部材で生成された香り空気を筐体内に供給する香り空気供給手段と、香り空気供給手段の香り空気の供給を閉止する閉止手段と、香り空気供給手段内の気圧を検知する圧力検知手段と、圧力検知手段の検知圧力に基づき香り空気供給手段の圧力が香り空気供給手段の設定圧力より高くなったと判断したとき、香り供給ポンプの駆動を停止させる香り供給ポンプ制御手段とを有する構造となっている。
【００１３】
請求項２の発明によれば、香り供給ポンプの駆動により筐体内に香り空気が供給される。香り空気の供給中に、閉止手段により筐体内への香り空気の供給が閉止されたときは、香り空気供給手段内の気圧が上昇する。ここで、圧力検出手段の検知圧力が設定圧力より高くなったときは、香り供給ポンプが停止する。
【００１４】
請求項３の発明は、請求項１又は請求項２の高気圧筐体装置において、筐体内の空気を排出する排気手段と、筐体の筐体設定圧力に追従して排気手段の排気圧力を設定する排気圧力制御手段とを有する構造となっている。
【００１５】
請求項４の発明は、筐体内の空気を脱臭する脱臭装置と、筐体の使用時間を設定する使用時間設定手段と、脱臭装置を設定された使用時間ののち所定時間経過後に動作させるよう制御する脱臭装置制御手段を有する構造となっている。
【００１６】
請求項４の発明によれば、筐体の使用後は必ず筐体内が脱臭されるため、次回の使用者に不快感を与えることがない。
【００１７】
なお、機器の異常を検出したとき、排気手段が排気動作するよう制御してもよい（請求項５の発明）。
【発明の効果】
【００１８】
本発明によれば、酸素富化空気を供給するポンプが筐体内を加圧するポンプと共用となっているため、筐体内の加圧操作に２台の加圧ポンプを使用でき、筐体内の気圧を設定気圧まで短時間で上昇させることができる。
【発明を実施するための最良の形態】
【００１９】
図１乃至図５は本発明に係る高気圧筐体装置の一実施形態を示すもので、図１は高気圧筐体装置の全体斜視図、図２は筐体の全体斜視図、図３は高気圧筐体装置の空気配管図、図４は高気圧筐体装置の制御回路を示すブロック図、図５は筐体内空気制御を示すフローチャートである。
【００２０】
高気圧筐体装置１の全体構造を、まず、図１及び図２を参照して説明する。高気圧筐体装置１は有酸素運動を行うチャンバー部２とチャンバー部２内の圧力や香りなどを調整するコントロール部３とを有している。
【００２１】
チャンバー部２は、周壁２１が六面体となっている筐体２０と、該筐体２０の外面を覆う同じく略六面体となっている外装体２２とを有している。この筐体２０の内部空間は使用者が余裕を持って運動できるスペース、例えば運動用固定式自転車が設置でき、自転車運動ができるスペースを有している。また、筐体２０の六面は、それぞれ耐圧パネル２３と各耐圧パネル２３を補強する複数の補強フレーム２４とを有し、筐体２０内の気圧上昇にも十分に耐える構造となっている。また、筐体２０の前面、側面及び上面はそれぞれ透視窓２５が設置されており、各透視窓２５から筐体内部が視認できるようになっている。筐体２０の背面には図示しないが出入口扉が設置されている。なお、各透視窓２５と対向する外装体２２には透視カバー２６が設置されている。
【００２２】
次に、筐体２０内に供給される空気配管系を図３を参照して説明する。本実施形態に係る高気圧筐体装置１は、筐体２０内に加圧空気を供給する加圧空気供給手段３０を有する。この加圧空気供給手段３０は、２台の加圧ポンプ３１ａ，３１ｂと、二方向電磁弁構造の加圧弁３２ａ，３２ｂと、エアーフィルタ３３ａ，３３ｂと、サイレンサ３４ａ，３４ｂ，３４ｃとを有している。
【００２３】
各加圧ポンプ３１ａ，３１ｂは入口サイレンサ３４ａに対して並列して配管されている。また、各加圧ポンプ３１ａ，３１ｂは、加圧弁３２ａ，３２ｂ、エアーフィルタ３３ａ，３３ｂ、出口サイレンサ３４ｂ，３４ｃと順次接続されている。これにより、各加圧ポンプ３１ａ，３１ｂを駆動するとき、入口サイレンサ３４ａから流入した空気が各加圧ポンプ３１ａ，３１ｂで加圧され、各出口サイレンサ３４ｂ，３４ｃを通じて筐体２０内に流入するようになっている。
【００２４】
続いて、高気圧筐体装置１は酸素供給手段４０を有する。この酸素供給手段４０は、前記加圧ポンプ３１ｂと、酸素富化空気を生成する酸素富化装置４１と、二方向電磁弁構造の酸素供給弁４２と、エアーフィルター４４と、鼻や口などに酸素富化空気を分岐する分岐器４５とを有している。前記加圧ポンプ３１ｂは、酸素富化装置４１、酸素供給弁４２、エアーフィルター４４、分岐器４５と順に接続されている。これにより、加圧ポンプ３１ｂを駆動するとき、酸素富化空気が筐体２０内に供給されるようになっている。
【００２５】
更に、高気圧筐体装置１は空気切換手段５０を有する。この空気切換手段５０は三方向電磁弁構造の２個の切換弁５１ａ，５１ｂで構成されており、酸素富化装置４１の出入口の双方に接続されている。各切換弁５１ａ，５１ｂは加圧ポンプ３１ｂで供給される加圧空気を酸素富化装置４１を通ることなく筐体２０側に導く第１モードと、当該加圧空気を酸素富化装置４１に通して筐体２０側に導く第２モードとを有している。
【００２６】
更にまた、高気圧筐体装置１は排気手段６０を有する。この排気手段６０は、二方向電磁弁で構成された２個の排気弁６１ａ，６１ｂと、サイレンサ６２ａ，６２ｂ，６２ｃとを有している。各排気弁６１ａ，６１ｂは各入口サイレンサ６２ａ，６２ｂを通じて並列に接続されており、出口サイレンサ６２ｃを通じて筐体２０内の空気を外に排出するようになっている。
【００２７】
更にまた、高気圧筐体装置１は香り空気供給手段７０を有する。この香り空気供給手段７０は、香り供給ポンプ７１と、二方向電磁弁構造の５個の香り供給弁７２ａ，７２ｂ，７２ｃ，７２ｄ，７２ｅと、５個の香り発生部材７３ａ，７３ｂ，７３ｃ，７３ｄ，７３ｅと、５個の逆止弁７４ａ，７４ｂ，７４ｃ，７４ｄ，７４ｅと、閉止弁７５と、圧力スイッチ７６とを有している。
【００２８】
各香り供給弁７２ａ〜７２ｅは香り供給ポンプ７１に並列的に接続されており、各香り供給弁７２ａ〜７２ｅを選択的に開放することにより、各香り発生部材７３ａ〜７３ｅからそれぞれ個別の香りを筐体２０内に供給するようになっている。また、香り発生部材７３ａはグレープフルーツの香りを発生させ（ダイエット効果）、香り発生部材７３ｂはローズマリーの香りを発生させ（集中力アップ効果）、香り発生部７３ｃはペパーミントの香りを発生させ（リフレッシュ効果）、香り発生部７３ｄはラベンダーの香りを発生させ（疲労回復及びリラックス効果）、香り発生部７３ｅはローズウッドの香りを発生させる（新陳代謝効果）。
【００２９】
各逆止弁７４ａ〜７４ｅは筐体２０側からの空気の逆流を規制している。閉止弁７５は香り空気の出口に設置されたもので、筐体２０内で手動操作ができ、香り空気の供給を開閉できるようになっている。圧力スイッチ７６は各逆止弁７４ａ〜７４ｅと閉止弁７５との間の気圧を検知するようになっている。
【００３０】
このように筐体２０内には各種の空気供給系を通じて加圧空気、酸素富化空気及び香り空気が供給されるが、筐体２０にはこれら以外に各種のセンサ等が設置されている。即ち、図３に示すように、筐体２０内の温度を検知する温度センサ８１、筐体２０内の湿度を検知する湿度センサ８２、筐体２０内の気圧を検知する気圧センサ８３が設置されている。また、筐体２０内で運動等を行う者が筐体外の外部者と連絡を取るためのインターホン（図示しない）が設置されている。更に、筐体２０には紫外線方式の脱臭装置８４、筐体内を冷却する電子冷却器８５が設置されている。なお、運転状態を外部から把握できるよう、積層表示部（赤；アラーム表示、黄；呼出表示、緑；運転表示）を設けるようにしてもよい（図示しない）。
【００３１】
以上のように構成された高気圧筐体装置１は図４のブロック図に示す制御回路を有している。高気圧筐体装置１の制御部はマイクロコンピュータ（以下、マイコンという）１００で構成されているもので、ＣＰＵ１０１、メモリ１０２及びタイマ１０３を有している。
【００３２】
ここで、ＣＰＵ１０１には各種センサ及びスイッチからの出力信号が入力されている。即ち、起動スイッチ８６からは起動信号、圧力スイッチ７６からは圧力検知信号、温度センサ８１からは筐体内温度の検知信号、湿度センサ８２からは筐体内湿度の検知信号、気圧センサ８３からは筐体内気圧の検知信号、酸素濃度センサ８７からは筐体内酸素濃度の検知信号がそれぞれ入力されている。
【００３３】
また、同じくＣＰＵ１０１には各種設定器からの出力信号が入力されている。ここで、温度設定器８８は筐体２０内の設定温度が設定され、この設定温度が入力されている。気圧設定器８９は筐体２０内の設定気圧Ｐ１が設定され、本実施形態では、１．１気圧、１．２気圧、１．３気圧の何れかの設定気圧が入力される。また、この気圧設定と同時に酸素富化装置４１への流路切換圧力Ｐ２も設定される。酸素濃度設定器９０は筐体２０内の酸素濃度が設定されるもので、例えば、２１％、３０％、５０％のいずれかの設定酸素濃度が入力される。使用時間設定器９１は使用者の使用時間が設定され、設定使用時間が入力される。香り設定器９２は５種類の香りが選択される設定器で、グレープフルーツの香りを選択できる香りスイッチ９２ａ、ローズマリーの香りを選択できる香りスイッチ９２ｂ、ペパーミントの香りを選択できる香りスイッチ９２ｃ、ラベンダーの香りを選択できる香りスイッチ９２ｄ、ローズウッドの香りを選択できる香りスイッチ９２ｅを有している。なお、これらの各種設定は、コントロール部３のタッチパネル式のディスプレ３ａによって行われる。
【００３４】
また、メモリ１０２は前記各種設定器８８，８９，９０，９１，９２で設定された設定データを記憶しており、また、タイマ１０３は設定使用時間などを計時するようになっている。
【００３５】
このように構成されたマイコン１００は、各スイッチ８６，７６、各センサ８１，８２，８３，８７及び各設定器８８，８９，９０，９１，９２から出力信号と、メモリ１０２の設定データと、タイマ１０３の計時信号とに基づき、各加圧ポンプ３１ａ，３１ｂ、香り供給ポンプ７１、電子冷却器８５、脱臭装置８４、各切換弁５１ａ，５１ｂ、各加圧弁３２ａ，３２ｂ、酸素供給弁４２、各排気弁６１ａ，６１ｂ及び各香り供給弁７２ａ〜７２ｅを駆動制御するようになている。
【００３６】
次に、図５を参照して、筐体２０内の空気制御を説明する。高気圧筐体装置１を使用するときは、まず、コントロール部３のディスプレ３ａにより、筐体２０内の温度・湿度設定、気圧設定、酸素濃度設定、香り設定、使用時間設定等が行われる（Ｓ１）。次いで、起動スイッチ８６をオンしたか否かを監視し（Ｓ２）、起動スイッチ８６がオンしたときは、各加圧弁３２ａ，３２ｂが開き、各切換弁５１ａ，５１ｂが第１モードに設定される（Ｓ３）。次いで、各加圧ポンプ３１ａ，３１ｂが駆動する（Ｓ４）。
【００３７】
これにより、筐体２０の外の空気が、入口サイレンサ３４ａ→各加圧ポンプ３１ａ，３１ｂ→切換弁５１ａ，５１ｂ及び加圧弁３２ａ，３２ｂ→各エアーフィルタ３３ａ，３３ｂ→出口サイレンサ３４ｂ，３４ｃと順に流れ、加圧空気が筐体２０内に供給される。
【００３８】
筐体２０内への空気供給が継続されときは、筐体２０内の気圧が徐々に上昇する。ここで、ＣＰＵ１０１は筐体２０内の気圧Ｐが流路切換圧力Ｐ２を越えたか否かを監視しており（Ｓ５）、流路切換圧力Ｐ２を越えたと判断したときは、加圧弁３２ｂが閉じ、酸素供給弁４２が開き、更に各切換弁５１ａ，５１ｂが第２モードに設定され、香り供給ポンプ７１も駆動する（Ｓ６）。
【００３９】
これにより、加圧ポンプ３１ｂで加圧され空気が酸素富化装置４１を通り、酸素富化空気となって筐体２０内に供給される。また、香り選択スイッチ９２ａ〜９２ｅで選択された香り空気が筐体２０内に供給される。
【００４０】
ステップ６の運転の継続中、ＣＰＵ１０１は、筐体２０内の気圧Ｐが設定気圧Ｐ１を越えたか否かを監視しており（Ｓ７）、筐体２０内の気圧Ｐが設定気圧Ｐ１を越えたと判断したきは、各排気弁６１ａ，６１ｂが開となり（Ｓ８）、筐体２０内の空気が外に排出される。また、筐体２０内の減圧により筐体２０内の気圧Ｐが設定気圧Ｐ１以下となったと判断したときは、各排気弁６１ａ，６１ｂが閉じ、再び筐体２０内の気圧を上昇させる（Ｓ９，Ｓ１０）。従って、筐体２０内は設定の高圧に維持されるとともに、高酸素濃度で、かつ、好適な芳香室となる。
【００４１】
図５のフローチャートには記載されていないが、筐体２０内の温度・湿度は設定温度・湿度に基づき電子冷却器８５が制御され、筐体２０内が所定温度・湿度に維持されている。
【００４２】
また、設定使用時間はタイマ１０３で監視され、ＣＰＵ１０１が使用時間が経過したと判断したときは、高気圧筐体装置１の運転が停止される。
【００４３】
更に、紫外線方式の脱臭装置８４は使用時間が経過した後、例えば６０秒後に駆動するようマイコン１００に設定されており、筐体２０内の脱臭及び殺菌を行うようになっている。これにより、筐体２０の使用後は必ず筐体２０内が脱臭されるため、次回の使用者に不快感を与えることがない。
【００４４】
更にまた、マイコン１００は機器の異常を検知したとき、例えば停電等が起きたときは、排気弁６１ａ，６１ｂが自動的に開となるよう設定され、使用者に対する安全性を確保している。
【００４５】
本実施形態によれば、筐体２０内が高気圧でかつ高酸素濃度に維持されているため、筐体２０内に使用者が入るときは溶解型酸素量が増加し、有酸素運動が効率よく行われる。また、高気圧・高酸素濃度の環境下では、有酸素運動に限らず、例えば学習能力の向上、疲労の早期回復、更には、身体の怪我等の早期治癒にも好適なものとなっている。
【００４６】
また、筐体２０内に供給される香り空気は、使用者の目的（有酸素運動、学習、疲労回復など）に応じて、各種選択することができる。
【００４７】
更に、筐体２０内を加圧する際、酸素富化空気供給用の加圧ポンプ３１ｂを同時に駆動するので、筐体２０内を短時間で設定気圧Ｐ１に上昇させることができる。
【００４８】
更にまた、各排気弁６１ａ，６１ｂの排気圧設定が筐体２０内の設定圧力Ｐ１に追従した設定値となっているため、各種設定圧力Ｐ１毎に排気圧を設定する必要がない。
【００４９】
更にまた、香り供給ポンプ７１の作動中に、使用者が閉止弁７５を手動により閉じるときは、香り空気の出口が閉止されるため、各逆止弁７４ａ〜７４ｅと閉止弁７５との間の圧力が高くなる。この圧力上昇が圧力スイッチ７６で検知され、ＣＰＵ１０１を通じて香り供給ポンプ７１が停止される。一方、閉止弁１４を再度開くときは、香り供給回路内の圧縮空気が筐体２０側に逃げるため、圧力スイッチ７６から圧力低下信号がＣＰＵ１０１に出力され、再度香り供給ポンプ７１に駆動信号が出力され、香り供給ポンプ７１が駆動する。
【００５０】
従って、使用者は香りが不要であると判断したときは、香り空気の供給を任意に止めることができるし、また、香り空気の供給を再開することも任意にできる。
【００５１】
更にまた、従来のごとく、酸素ボンベ等を用いていないので、取り扱いに注意を必要とする機器もなく、メンテナンスを含め安全な装置となっている。
【図面の簡単な説明】
【００５２】
【図１】高気圧筐体装置の全体斜視図
【図２】筐体の全体斜視図
【図３】高気圧筐体装置の空気配管図
【図４】高気圧筐体装置の制御回路を示すブロック図
【図５】筐体内空気制御を示すフローチャート
【符号の説明】
【００５３】
１…高気圧筐体装置、２…チャンバー部、３…コントロール部、２０…筐体、
３０…加圧空気供給手段、３１ａ，３１ｂ…加圧ポンプ、４０…酸素供給手段、４１…酸素富化装置、５０…空気切換手段、５１ａ，５１ｂ…切換弁、６０…排出手段、６１ａ，６１ｂ…排気弁、７０…香り空気供給手段、７１…香り空気供給ポンプ、７３ａ〜７３ｅ…香り発生部材、７５…閉止弁、７６…圧力スイッチ、８４…脱臭装置、１００…マイコン。
【図１】
2005318958.tif 000003
【図２】
2005318958.tif 000004
【図３】
2005318958.tif 000005
【図４】
2005318958.tif 000006
【図５】
2005318958.tif 000007
【手続補正書】
【提出日】平成16年5月18日(2004.5.18)
【手続補正１】
【補正対象書類名】図面
【補正対象項目名】全図
【補正方法】変更
【補正の内容】
【図１】
2005318958.tif 000008
【図２】
2005318958.tif 000009
【図３】
2005318958.tif 000010
【図４】
2005318958.tif 000011
【図５】
2005318958.tif 000012